(57)【要約】【課題】配信データ量は少ない電子メールであっても、その受信電子メール表示用ウインドウ内において、３次元画像を対話形式で表示することができる。【解決手段】送信装置と、受信装置と、受信装置とネットワークを通じて接続されるサーバ装置とからなる電子メールシステムである。送信装置は、ネットワーク上の特定のアドレス情報で示されるサーバ装置からのデータの取得を指示する記述を含む電子メール文書を送信する。受信装置は、電子メール文書を受信して、当該電子メール文書を画面表示するための操作がなされたときに、前記記述に従ってネットワークを通じてサーバ装置にアクセスし、サーバ装置から３次元画像を表示するための基本データを取得し、３次元描画表示するためのアプリケーションを起動して、３次元描画画像を電子メール表示用ウインドウ内に表示する。【選択図】図１
2005202629.tif 000002
【特許請求の範囲】
【請求項１】
電子メールを送信する送信装置と、前記電子メールを受信する受信装置と、前記受信装置とネットワークを通じて接続されるサーバ装置とからなる電子メールシステムであって、
前記送信装置は、
前記受信装置で表示される電子メール表示用ウインドウ内に、画像表示用領域を設定する記述と、前記ネットワーク上のアドレス情報を含み、当該アドレス情報に対応する前記サーバ装置からの情報の取得を指示する記述とを含む電子メールを送信する手段を備え、
前記受信装置は、
前記電子メールを受信する手段と、
前記受信した前記電子メールを画面表示するための操作がなされたときに、前記記述に含まれるアドレス情報に従って前記ネットワークを通じて前記サーバ装置にアクセスし、前記サーバ装置からの前記３次元描画表示するための基本データを取得する手段と、
３次元描画表示のためのアプリケーションプログラムにより、前記取得した前記サーバ装置からの前記基本データに基づく３次元描画画像を、前記電子メール表示用ウインドウ内の、前記記述により設定された画像表示用領域において表示する手段と、
を備え、
前記サーバ装置は、
所定の画像を３次元描画表示するための基本データを、１個または複数個格納する格納部と、
前記格納部から、前記受信装置からのアクセスにより指示されたアドレスに格納されている前記基本データを読み出す手段と、
前記読み出された前記基本データを前記アクセスしてきた前記受信装置に送信する送信手段と、
を備えることを特徴とする電子メールシステム。
【請求項２】
請求項１に記載の電子メールシステムにおいて、
前記３次元描画表示のためのアプリケーションプログラムは、表示中の３次元描画画像を、操作入力に応じて表示変更する機能を備え、前記操作入力がなされたときには、その操作入力の情報が前記３次元描画表示のためのアプリケーションプログラムにより処理されて、前記表示画面に表示される３次元描画画像が前記操作入力に応じて変更表示される
ことを特徴とする電子メールシステム。
【請求項３】
請求項１に記載の電子メールシステムにおいて、
前記送信装置から送信される電子メールは、前記電子メール表示用ウインドウ内の前記画像表示用領域以外において記述された絵や文字の情報を含み、
前記受信装置では、前記電子メール表示用ウインドウ内の前記画像表示用領域以外において前記絵や文字を表示する
ことを特徴とする電子メールシステム。
【請求項４】
請求項１に記載の電子メールシステムにおいて、
前記受信装置は、前記３次元描画表示のためのアプリケーションプログラムを備えていないときには、前記サーバ装置から前記アプリケーションプログラムを取得する
ことを特徴とする電子メールシステム。
【請求項５】
請求項１に記載の電子メールシステムにおいて、
前記３次元描画表示のためのアプリケーションプログラムは、表示中の３次元描画画像に対して追加・削除・変更などの改変を行なって、前記基本データを更新する機能を備え、
前記受信装置は、前記３次元描画画像の前記更新した基本データを前記サーバ装置に登録要求する手段を備え、
前記サーバ装置は、前記受信装置からの前記３次元描画画像の前記更新した基本データの登録要求を受けて、登録を許可するときには、前記格納部の前記基本データを、前記登録要求された前記更新された基本データに更新する手段を備える
ことを特徴とする電子メールシステム。
【請求項６】
請求項２に記載の電子メールシステムにおいて、
前記操作入力が、前記３次元描画表示のためのアプリケーションプログラムでは処理能力を超えるとして、予め定められた３次元描画画像の表示変更の指示であったときには、前記受信装置は、前記操作入力の情報を前記サーバ装置に送り、
前記サーバ装置は、受け取った前記操作入力の情報に応じて、前記基本データに基づく３次元描画処理を行ない、その結果の前記基本データを前記受信装置に送り、
前記受信装置は、前記サーバ装置からの新たな前記基本データに基づいて、前記３次元描画表示のためのアプリケーションプログラムにより前記画像表示領域において前記３次元描画画像を表示する
ことを特徴とする電子メールシステム。
【請求項７】
請求項１に記載の電子メールシステムにおいて、
前記送信装置からの前記電子メールには、前記サーバ装置の、前記アドレス情報とは異なるアドレス情報で示されるアドレスからの情報の取得を意味する操作アイコンの記述を含み、
前記受信装置は、当該受信装置において、前記電子メール表示用ウインドウ内に表示されている前記操作アイコンが操作されたときには、前記別のアドレス情報に従って前記ネットワークを通じて前記サーバ装置にアクセスし、前記サーバ装置からの前記３次元描画表示するための別の基本データを取得し、前記３次元描画表示のためのアプリケーションプログラムにより、前記取得した前記サーバ装置からの前記別の基本データに基づく３次元描画画像を表示する手段を備える
ことを特徴とする電子メールシステム。
【請求項８】
電子メールを送信する送信装置と、前記電子メールを受信する受信装置と、前記受信装置とネットワークを通じて接続されるサーバ装置とからなる電子メールシステムであって、
前記送信装置は、
前記受信装置で表示される電子メール表示用ウインドウ内に、画像表示用領域を設定する記述と、前記ネットワーク上のアドレス情報を含み、当該アドレス情報に対応する前記サーバ装置からの情報の取得を指示する記述とを含む電子メールを送信する手段を備え、
前記受信装置は、
前記電子メールを受信する手段と、
前記受信した電子メールを画面表示するための操作がなされたときに、前記記述に含まれるアドレス情報に従って前記ネットワークを通じて前記サーバ装置にアクセスし、前記サーバ装置からの情報を取得する手段と、
前記取得した前記サーバ装置からの情報に基づき、前記電子メール表示用ウインドウ内の前記画像表示用領域において、３次元描画画像を表示する手段と、
を備え、
前記サーバ装置は、
所定の画像を３次元描画表示するための基本データを格納する格納部と、
前記格納部から、前記受信装置からのアクセスにより指示されたアドレスに格納されている前記基本データを読み出すと共に、３次元描画表示のためのアプリケーションプログラムを動作させて、前記所定の画像の３次元描画画像情報を生成する手段と、
前記生成した前記３次元描画画像情報を、前記アクセスしてきた前記受信装置に送信する手段と、
を備え、
前記受信装置では、前記サーバ装置からの前記３次元描画画像をストリーミング再生することを特徴とする電子メールシステム。
【請求項９】
請求項８に記載の電子メールシステムにおいて、
前記受信装置においては、前記３次元描画画像の表示画面を通じて、受信ユーザによる操作入力が可能であると共に、前記操作入力がなされたときには、その操作入力の情報が前記サーバ装置に送られ、
前記サーバ装置においては、前記受信装置から受信した前記操作入力の情報に応じて前記受信装置に送る３次元描画画像の表示内容を前記操作入力に応じて変更する
ことを特徴とする電子メールシステム。
【請求項１０】
請求項８に記載の電子メールシステムにおいて、
前記送信装置から送信される電子メールは、前記電子メール表示用ウインドウ内の前記画像表示用領域以外において記述された絵や文字の情報を含み、
前記受信装置では、前記電子メール表示用ウインドウ内の前記画像表示用領域以外において前記絵や文字を表示する
ことを特徴とする電子メールシステム。
【請求項１１】
請求項８に記載の電子メールシステムにおいて、
前記操作入力は、表示中の３次元描画画像に対して追加・削除・変更などの改変を行なう操作であり、
前記受信装置は、前記改変した前記３次元描画画像の前記基本データを前記サーバ装置に登録要求する手段を備え、
前記サーバ装置は、前記受信装置からの前記３次元描画画像の前記基本データの登録要求を受けて、登録を許可するときには、前記格納部の前記基本データを、前記登録要求された改変された３次元描画画像の基本データに更新する手段を備える
ことを特徴とする電子メールシステム。
【請求項１２】
送信装置が、受信装置で表示される電子メール表示用ウインドウ内に、画像表示用領域を設定する記述と、ネットワーク上のアドレス情報を含み、当該アドレス情報に対応するサーバ装置からの情報の取得を指示する記述とを含む電子メールを送信する工程と、
受信装置が、前記電子メールを受信する工程と、
前記受信装置が、前記受信した前記電子メールを画面表示するための操作がなされたときに、前記記述に含まれるアドレス情報に従って前記ネットワークを通じて前記サーバ装置にアクセスする工程と、
前記サーバ装置が、前記受信装置からの前記アクセスを受信したときに、３次元描画表示するための基本データを前記受信装置に送信する工程と、
前記受信装置が、前記サーバ装置からの前記３次元描画表示するための前記基本データを取得する工程と、
前記受信装置が、３次元描画表示のためのアプリケーションプログラムにより、前記取得した前記サーバ装置からの前記基本データに基づく３次元描画画像を、前記電子メール表示用ウインドウ内の、前記記述により設定された画像表示用領域において表示する工程と、
を備えることを特徴とする電子メール送受信方法。
【請求項１３】
請求項１２に記載の電子メール送受信方法において、
前記３次元描画表示のためのアプリケーションプログラムは、表示中の３次元描画画像を、操作入力に応じて表示変更する機能を備え、前記操作入力がなされたときには、その操作入力の情報が前記３次元描画表示のためのアプリケーションプログラムにより処理されて、前記表示画面に表示される３次元描画画像の内容が前記操作入力に応じて変更される
ことを特徴とする電子メール送受信方法。
【請求項１４】
送信装置が、受信装置で表示される電子メール表示用ウインドウ内に、画像表示用領域を設定する記述と、ネットワーク上のアドレス情報を含み、当該アドレス情報に対応するサーバ装置からの情報の取得を指示する記述とを含む電子メールを送信する工程と、
前記受信装置が、前記電子メールを受信する工程と、
前記受信装置が、前記受信した前記電子メールを画面表示するための操作がなされたときに、前記記述に含まれるアドレス情報に従って前記ネットワークを通じて前記サーバ装置にアクセスする工程と、
前記サーバ装置が、前記受信装置からのアクセスにより指示されたアドレスに格納されている前記基本データを読み出すと共に、３次元描画表示のためのアプリケーションプログラムを動作させて、前記所定の画像の３次元描画画像情報を生成する工程と、
前記生成した前記３次元描画画像情報を、前記アクセスしてきた前記受信装置に送信する工程と、
前記受信装置が、前記サーバ装置からの情報を取得する工程と、
前記取得した前記サーバ装置からの情報に基づき、前記電子メール表示用ウインドウ内の前記画像表示用領域において、３次元描画画像を表示する工程と、
を備え、前記受信装置では、前記サーバ装置からの前記３次元描画画像をストリーミング再生することを特徴とする電子メール送受信方法。
【請求項１５】
請求項１４に記載の電子メール送受信方法において、
前記受信装置においては、前記３次元描画画像の表示画面を通じて、受信ユーザによる操作入力が可能であると共に、前記操作入力がなされたときには、その操作入力の情報が前記サーバ装置に送られ、
前記サーバ装置においては、前記受信装置から受信した前記操作入力の情報に応じて前記受信装置に送る３次元画像内容を前記操作入力に応じて変更する
ことを特徴とする電子メール送受信方法。
【請求項１６】
受信装置で表示される電子メール表示用ウインドウ内に、画像表示用領域を設定する記述と、ネットワーク上のアドレス情報を含み、当該電子メールを画面表示するための操作をしたときに前記アドレス情報に対応するサーバ装置のデータ格納部からの３次元描画表示するための基本データの取得を指示する記述とを含む電子メール文書を作成する工程と、
前記電子メール文書を送信する工程と、
を備える電子メール送信方法。
【請求項１７】
請求項１６に記載の電子メール送信方法において、
前記電子メール文書を作成する工程は、
予め前記ネットワーク上のアドレス情報で示される前記サーバ装置のデータ格納部に格納されている前記３次元描画表示するための基本データに基づいて描画表示される３次元描画画像を、前記電子メール表示用ウインドウ内の前記画像表示領域に貼り付けるように指示する記述の一個または複数個を、ひな形として用意しておく工程と、
前記電子メール文書を作成するときに、前記ひな形の中から選択した記述を前記電子メール文書中に挿入する工程と、
を備えることを特徴とする電子メール送信方法。
【請求項１８】
所定の画像を３次元描画表示するための基本データを、１個または複数個格納する格納部と、
前記格納部から、ネットワーク上のアドレス情報を含み、当該アドレス情報に対応するサーバ装置の前記格納部からの情報の取得を指示する記述を含む電子メールを受信した端末装置からのアクセスにより指示されたアドレスに格納されている前記基本データを読み出す手段と、
前記読み出された前記基本データを前記アクセスしてきた前記端末装置に送信する送信手段と、
を備えることを特徴とするサーバ装置。
【請求項１９】
ネットワーク上のアドレス情報を含み、当該アドレス情報に対応するサーバ装置のデータ格納部からの情報の取得を指示する記述を含む電子メールを受信した受信装置からのアクセスを受信するサーバ装置であって、
所定の画像を３次元描画表示するための基本データを、１個または複数個格納する前記データ格納部と、
前記受信装置からのアクセスを受信したときに、３次元描画表示するようにするアプリケーションプログラムを動作させると共に、前記基本データを用いて所定の画像を３次元描画表示するための３次元描画画像情報を生成する手段と、
前記生成した前記３次元描画画像情報を、アクセスしてきた前記受信装置に順次に送信する手段と、
を備えることを特徴とするサーバ装置。
【請求項２０】
受信装置で表示される電子メール表示用ウインドウ内に、画像表示用領域を設定する記述と、ネットワーク上のアドレス情報を含み、当該アドレス情報に対応するサーバ装置のデータ格納部からのデータの取得を指示する記述とを含む電子メールを受信した受信端末が実行する工程からなる電子メール受信方法であって、
前記電子メールを受信する工程と、
前記電子メールを画面表示するための操作がなされたときに、前記記述に含まれるアドレス情報に従って前記ネットワークを通じて前記サーバ装置にアクセスする工程と、
前記アクセスした前記サーバ装置から、所定の画像を３次元描画表示するための基本データを取得する工程と、
３次元描画表示のためのアプリケーションプログラムにより、前記取得した前記サーバ装置からの前記基本データに基づく３次元描画画像を、前記電子メール表示用ウインドウ内の、前記記述により設定された画像表示用領域において表示する工程と、
を備えることを特徴とする電子メール受信方法。
【請求項２１】
請求項２０に記載の電子メール受信方法において、
前記受信装置においては、前記３次元描画画像の表示画面を通じて、受信ユーザによる操作入力が可能であると共に、前記操作入力がなされたときには、その操作入力の情報を前記３次元描画表示のためのアプリケーションプログラムにより処理して、前記表示画面に表示される３次元描画画像の内容を前記操作入力に応じて変更する
ことを特徴とする電子メール受信方法。
【請求項２２】
受信装置で表示される電子メール表示用ウインドウ内に、画像表示用領域を設定する記述と、ネットワーク上のアドレス情報を含み、当該アドレス情報に対応するサーバ装置のデータ格納部からのデータの取得を指示する記述とを含む電子メールを受信した受信装置が実行する工程からなる電子メール受信方法であって、
前記電子メールを受信する工程と、
前記電子メールを画面表示するための操作がなされたときに、前記記述に含まれるアドレス情報に従って前記ネットワークを通じて前記サーバ装置にアクセスする工程と、
前記サーバ装置へのアクセスに基づいて、前記サーバ装置で生成された３次元描画画像情報を取得する工程と、
前記取得した前記サーバ装置からの前記３次元描画画像情報に基づき、前記電子メール表示用ウインドウ内の前記画像表示用領域において、前記３次元描画画像を表示する工程と、
を備え、前記受信装置では、前記サーバ装置からの前記３次元描画画像情報をストリーミング再生することを特徴とする電子メール受信方法。
【請求項２３】
請求項２２に記載の電子メール受信方法において、
前記受信装置においては、
前記３次元描画画像の表示画面を通じて、受信ユーザによる操作入力が可能であると共に、前記操作入力がなされたときには、その操作入力の情報を前記サーバ装置に送り、
前記サーバ装置から前記操作入力の情報に応じて変更された前記３次元描画画像を受信して表示する
ことを特徴とする電子メール受信方法。
【請求項２４】
受信装置で表示される電子メール表示用ウインドウ内に、画像表示用領域を設定する記述と、ネットワーク上のアドレス情報を含み、当該アドレス情報に対応するサーバ装置のデータ格納部からの情報の取得を指示する記述とをメール文書中に含む電子メール。
【請求項２５】
受信装置で表示される電子メール表示用ウインドウ内に、画像表示用領域を設定する記述と、ネットワーク上のアドレス情報を含み、当該アドレス情報に対応するサーバ装置のデータ格納部からの情報の取得を指示する記述とをメール文書中に含む電子メール。
【発明の詳細な説明】
【技術分野】
【０００１】
この発明は、受信した電子メールに、例えば３次元描画画像を貼り付けて表示することができるようにした電子メールシステム、電子メール送受信方法、電子メール送信方法、電子メール受信方法に関する。また、この発明は、前記電子メールシステムに用いられるサーバ装置、電子メールおよび記憶媒体に関する。
【背景技術】
【０００２】
電子メールを用いて、テキスト文書と共に、画像や音声などを伝送することができれば非常に便利であり、従来から種々の方法が提案されている。
【０００３】
例えば、特許文献１（特開２００２−３６６４９６号公報）には、電子メールのテキストデータと、画像データとを合成して、電子メールで配送する方法が記載されている。この特許文献１の方法においては、電子メール配送装置を設け、この電子メール配送装置に送信元からテキスト文書データや画像コンテンツのデータを送っておく。そして、電子メール配送装置において、電子メールのテキスト文書と、画像コンテンツのデータとを合成して、電子メールの宛先に配送するようにしている。
【０００４】
また、特許文献２（特開２０００−２４９６７７号公報）には、音声付グリーティングカードのサイト内に予め用意したカードと、予め用意した音声とを組み合わせ、相手先の携帯端末へ送信するようにする方法が記載されている。
【０００５】
ところで、電子メールを用いて伝送して、テキスト文書と共に表示する画像が３次元画像であれば、現実に近い状態で物品等を表示することができるので、商品広告などを有効に行なえると考えられる。
【０００６】
インターネット上において、サーバ装置と端末装置との間でのやり取りを通じて３次元画像を表示するようにすることができるものは、例えば特許文献３（特開２００２−６３６０２号公報）や特許文献４（特開２００２−４２１６９号公報）など、従来から種々提案されている。
【０００７】
そこで、電子メールとして送信する記述情報を、例えばＨＴＭＬ（Ｈｙｐｅｒ  Ｔｅｘｔ  Ｍａｒｋｕｐ  Ｌａｎｇｕａｇｅ）を用いてホームページと同様に作成して、商品広告のメッセージと共に、当該ホームページ状の記述中に、インターネット上のサーバ装置にアクセスするためのアイコンボタンなどを含めるようにすることが考えられている。これは、サーバ装置からホームページの画像などを電子メール画面にパーツ毎に読み出すると共に、テキスト文字などと一緒に再構成して、電子メールの表示ウインドウに表示するもので、ＨＴＭＬメールと呼ばれている。
【０００８】
このＨＴＭＬメールによれば、商品広告に興味を持ったユーザは、前記アイコンボタンを操作することにより、サーバ装置にアクセスすることにより、照会商品の３次元画像を、ブラウザを用いて表示して観ることができるようになる。
【０００９】
上記の特許文献は、次の通りである。
【特許文献１】特開２００２−３６６４９６号公報
【特許文献２】特開２００３−１８０８４号公報
【特許文献３】特開２００２−６３６０２号公報
【特許文献４】特開２００３−４２１６９号公報
【発明の開示】
【発明が解決しようとする課題】
【００１０】
しかしながら、特許文献１および２、またＨＴＭＬメールによる方法は、いずれも、電子メールのデータや音声付グリーティングカードのデータ自体に画像データや音声データを合成して、電子メールやグリーティングカードを配送するものである。このため、これら電子メールやグリーティングカードのデータ量が多くなり、ネットワーク通信のトラフィック上、好ましくないと共に、受信に時間が係るという問題がある。
【００１１】
また、特許文献１，２の方法においては、電子メールのデータや音声付グリーティングカードのデータ自体に画像データや音声データを合成するものであるため、画像データや音声データは、電子メールのデータや音声付グリーティングカードのデータと合成したときのものに固定されてしまう。このため、動画や種々の角度から見た３次元画像を送るようにする場合には、データ量が膨大になるという不具合もある。
【００１２】
これに対して、上述のＨＴＭＬメールを用いる場合には、電子メール自体は、データ量は少なくて済み、上述の不具合は回避できる。しかし、３次元画像を観るためには、ユーザは、電子メールを開いた後、アイコンボタンを押してサーバ装置にアクセスしてブラウザにより別ウインドウとして３次元画像を表示しなければならないという問題がある。
【００１３】
広告メールとして考えた場合、電子メールを開いたときに、対象商品が３次元画像として表示されていた方が有効である。一般に、余計な手間をかけなければならないとした場合には、ユーザは、その手間を省くおそれがあり、３次元画像という有効な広告画像がユーザに到達しないというおそれがある。
【００１４】
また、従来の場合、３次元画像が表示されても、表示されている画像の裏側や拡大表示など、電子メールの受信ユーザが、自分の希望に応じた画像を見たいときであっても、それら受信ユーザの希望にインタラクティブに対応して画像を変えて表示することができないという不具合もあった。
【００１５】
さらに、ＨＴＭＬメールの場合には、電子メールのテキスト文書も、ＨＴＭＬにより記述されるのが一般的である。このため、受信した電子メールに、自分内のメール文を追加したり、受信メール文を変更したりして、転送しようとしても、通常の電子メールのような感覚で簡単に、メール文を追加・変更できないという問題もある。
【００１６】
この発明は、以上の点にかんがみ、配信データ量は少なくて済むと共に、電子メールを開くだけで３次元画像が表示され、かつ、当該３次元画像をインタラクティブに変更表示することができ、さらに、メール文の追加・変更が可能な電子メールの送受ができるようにすることを目的とする。
【課題を解決するための手段】
【００１７】
上記の課題を解決するために、請求項１の発明は、
電子メールを送信する送信装置と、前記電子メールを受信する受信装置と、前記受信装置とネットワークを通じて接続されるサーバ装置とからなる電子メールシステムであって、
前記送信装置は、
前記受信装置で表示される電子メール表示用ウインドウ内に、画像表示用領域を設定する記述と、前記ネットワーク上のアドレス情報を含み、当該アドレス情報に対応する前記サーバ装置からの情報の取得を指示する記述とを含む電子メールを送信する手段を備え、
前記受信装置は、
前記電子メールを受信する手段と、
前記受信した前記電子メールを画面表示するための操作がなされたときに、前記記述に含まれるアドレス情報に従って前記ネットワークを通じて前記サーバ装置にアクセスし、前記サーバ装置からの前記３次元描画表示するための基本データを取得する手段と、
３次元描画表示のためのアプリケーションプログラムにより、前記取得した前記サーバ装置からの前記基本データに基づく３次元描画画像を、前記電子メール表示用ウインドウ内の、前記記述により設定された画像表示用領域において表示する手段と、
を備え、
前記サーバ装置は、
所定の画像を３次元描画表示するための基本データを、１個または複数個格納する格納部と、
前記格納部から、前記受信装置からのアクセスにより指示されたアドレスに格納されている前記基本データを読み出す手段と、
前記読み出された前記基本データを前記アクセスしてきた前記受信装置に送信する送信手段と、
を備えることを特徴とする電子メールシステムを提供する。
【００１８】
また、請求項２の発明は、請求項１に記載の電子メールシステムにおいて、
前記３次元描画表示のためのアプリケーションプログラムは、表示中の３次元描画画像を、操作入力に応じて表示変更する機能を備え、前記操作入力がなされたときには、その操作入力の情報が前記３次元描画表示のためのアプリケーションプログラムにより処理されて、前記表示画面に表示される３次元描画画像の内容が前記操作入力に応じて変更される
ことを特徴とする。
【００１９】
また、請求項３の発明は、請求項１に記載の電子メールシステムにおいて、
前記送信装置から送信される電子メールは、前記電子メール表示用ウインドウ内の前記画像表示用領域以外において記述された絵や文字の情報を含み、
前記受信装置では、前記電子メール表示用ウインドウ内の前記画像表示用領域以外において前記絵や文字を表示する
ことを特徴とする。
【００２０】
この請求項１の発明の電子メールシステムにおいては、送信装置は、受信装置で表示される電子メール表示用ウインドウ内に画像表示用領域を設定する記述と、ネットワーク上の特定のアドレス情報で示されるサーバ装置のデータ格納部からの情報の取得を指示する記述とを含む電子メール文書を送信する。
【００２１】
この電子メール文書を受信した受信装置は、その記述に基づきサーバ装置にアクセスする。すると、サーバ装置は、当該アクセスに基づき、予め用意している３次元描画表示のための基本データを格納部から読み出して、受信装置に送信する。
【００２２】
受信装置は、このサーバ装置からの３次元描画表示のための基本データを受け取って、３次元描画表示のためのアプリケーションプログラムを立ち上げる。そして、前記基本データに基づいて３次元描画画像を生成し、電子メールの記述により設定された電子メールウインドウ内の画像表示用領域に、当該３次元描画画像を表示する。
【００２３】
したがって、受信電子メールが開かれると、電子メールの記述に含まれる内容に基づいて、３次元描画画像が、電子メールウインドウ内の指定された画像表示用領域に即座に表示される。
【００２４】
そして、請求項２の発明のように、３次元描画表示のためのアプリケーションプログラムが、回転、ズームなどのユーザの操作入力を受け付けて、その操作入力に応じて３次元描画画像を変形する機能を備えていれば、電子メールの受信装置においては、３次元描画画像を表示するための基本データをサーバ装置から受け取っているので、当該３次元描画表示のためのアプリケーションプログラムで３次元描画画像について、回転、拡大、縮小などのズームなどのユーザ操作入力に応じた変形表示することができる。
【００２５】
したがって、請求項２の発明によれば、受信装置では、サーバ装置から送られてきた３次元描画表示のための基準データを用いて、受信ユーザにより操作入力に応じて、画像を回転して裏側を表示したり、拡大、縮小したりすることができる。つまり、表示画面に表示する３次元描画画像内容を、ユーザからの操作入力に応じて、対話形式に変更することが可能になる。
【００２６】
さらに、画像表示用領域が電子メールウインドウ内に設定されていて、当該画像表示用領域内に３次元描画画像が表示されるようにされているので、請求項３の発明のように、画像表示用領域以外には、テキストメール文をユーザが記述可能である。
【００２７】
したがって、受信ユーザは、このテキストメール文の領域を用いて、追加文を挿入したり、受信したメール文を編集変更処理したりして、他の人に当該電子メールを転送することもできる。その転送の場合でも、受信装置で表示される電子メール表示用ウインドウ内に、画像表示用領域を設定する記述と、前記ネットワーク上のアドレス情報を含み当該アドレス情報に対応する前記サーバ装置からの情報の取得を指示する記述とを含む電子メールが転送されるので、電子メールのデータ量は、ほぼ変化無く転送することができ、転送先でも、前記受信装置側と全く同様の３次元描画画像の表示態様を得ることができる。
【００２８】
また、請求項５の発明は、請求項１に記載の電子メールシステムにおいて、
前記３次元描画表示のためのアプリケーションプログラムは、表示中の３次元描画画像に対して追加・削除・変更などの改変を行なって、前記基本データを更新する機能を備え、
前記受信装置は、前記３次元描画画像の前記更新した基本データを前記サーバ装置に登録要求する手段を備え、
前記サーバ装置は、前記受信装置からの前記３次元描画画像の前記更新した基本データの登録要求を受けて、登録を許可するときには、前記格納部の前記基本データを、前記登録要求された前記更新された基本データに更新する手段を備える
ことを特徴とする。
【００２９】
この請求項５の発明によれば、サーバ装置に格納されている３次元描画画像の基本データは、電子メールの受信装置のユーザが改変することが可能である。したがって、次に、同じアドレス情報の記述を含む電子メールが送られたときには（転送も含む）、当該電子メールの受信装置では、前記更新された基本データに基づく３次元描画画像が電子メールウインドウ内の画像表示用領域に表示される。
【００３０】
これにより、この請求項５の発明によれば、電子メールを受けた者が、前記３次元描画画像に順次に修正を加えて、次の者に転送するという使い方が可能になり、種々の用途に利用することができる。
【発明の効果】
【００３１】
この発明によれば、電子メールは、画像データ等は合成して配送するのではなく、単に、電子メール文書中に、ネットワーク上の特定のアドレス情報で示される前記サーバ装置のデータ格納部からのデータの取得を指示する記述を含むようにしたものを配送するので、電子メールとして配送するデータ量は非常に少なくて済む。
【００３２】
そして、この発明においては、受信電子メールが開かれると、電子メールの記述に含まれる内容に基づいて、３次元描画画像が、電子メールウインドウ内の指定された画像表示用領域に即座に表示され、ユーザは、サーバ装置にアクセスする操作をする必要がないと共に、ユーザに確実に３次元描画画像が提供される。このため、この発明を電子メール広告として用いた場合には、広告機能を有効に発揮することが可能である。
【００３３】
しかも、この発明によれば、サーバ装置から３次元描画表示するための基本データが受信装置に渡されて、受信装置では、３次元描画表示のためのアプリケーションプログラムを用いて、受信した基本データに基づいて３次元描画画像を表示するようにするので、前記３次元描画表示のためのアプリケーションプログラムに、ユーザ操作入力に応じて画像の回転、拡大、縮小などを行なう機能があれば、その機能を用いて、ユーザ操作入力に応じた対話形式の表示が行なえるという効果がある。
【００３４】
そして、この発明によれば、画像表示用領域が電子メールウインドウ内に設定されていて、当該画像表示用領域以外には、テキストメール文をユーザが記述可能であるので、受信ユーザは、このテキストメール文の領域を用いて、追加文を挿入したり、受信したメール文を編集変更処理したりして、他の人に当該電子メールを転送することもできる。その転送の場合でも、受信装置で表示される電子メール表示用ウインドウ内に、画像表示用領域を設定する記述と、前記ネットワーク上のアドレス情報を含み当該アドレス情報に対応する前記サーバ装置からの情報の取得を指示する記述とを含む電子メールが転送されるので、電子メールのデータ量は、ほぼ変化無く転送することができ、転送先でも、前記受信装置側と全く同様の３次元描画画像の表示態様を得ることができる。
【発明を実施するための最良の形態】
【００３５】
以下、この発明による電子メールシステムの実施形態を、図を参照しながら説明する。以下に説明する実施形態は、電子メール発信サービス業者が、種々の商品の広告のための電子メールを作成し、消費者に配信する場合の例である。
【００３６】
［第１の実施形態］
図１は、この実施形態の電子メールシステムの概要を説明するための図であり、この実施形態では、電子メールの送信端末１と受信端末２とに加えて、サーバ装置３が関与する。少なくとも受信端末２とサーバ装置３とは、ネットワーク、この例ではインターネット４を通じて接続可能とされている。図１の例では、電子メールをインターネット４を通じて送受するために、送信端末１もインターネット４に接続されている。
【００３７】
なお、電子メールを配送するためのネットワークと、受信端末２とサーバ装置３とが接続されるネットワークとは異なっていてもよい。例えば、電子メールは、携帯電話網を通じて配送し、受信端末２とサーバ装置３とはインターネット４を通じて接続するようにしても良い。
【００３８】
この実施形態の電子メールシステムにおいては、電子メール発信サービス業者は、サーバ装置３を少なくとも備える。送信端末１は、電子メール発信サービス業者が備える場合と、広告主が備える場合とがある。
【００３９】
電子メール発信サービス業者は、電子メール文書として表示される広告の文字や絵（テキスト情報）と共に表示する３次元描画画像を生成するための基本データや、前記広告の文字や絵と共に音響再生するようにする音声情報等のデータを、サーバ装置３のデータ格納部に格納する。
【００４０】
３次元描画画像を生成するための基本データとしては、３次元描画画像を構成する点座標データや、半径と曲率とからなるデータ等が用いられる。基本データには、例えば点座標で囲まれる最小単位の多角形領域に貼り付ける色、絵柄、などの情報も含む。
【００４１】
これらの３次元描画表示する画像の基本データや広告音声データのそれぞれは、予め、電子メール発信サービス業者が広告主からの依頼により、広告商品に応じて、電子メール発信サービス業者がそれぞれ作成する。そして、電子メール発信サービス業者は、当該作成した３次元描画表示する画像の基本データ（以下、３次元描画基本データという）や音声データを、サーバ装置３のデータ格納部において、それぞれの広告主毎に識別可能とされる別々のメモリエリアに格納する。３次元描画基本データと音声データとを、一つの電子メール文書と共に表示および音響再生する場合には、その画像情報と音声情報との組が、一つのメモリエリアに格納される。
【００４２】
この例では、電子メールと共に表示する３次元描画画像は、広告商品などを、よりリアルに表現できるようにするためのものである。そして、データ格納部に格納される３次元描画基本データは、この例では、広告したい商品の３次元画像を描画表示するための基本データとされる。また、音声データは、例えば広告のメッセージ音声やＢＧＭなどの音声のデータとされる。
【００４３】
そして、サーバ装置１には、この実施形態の場合には、３次元描画基本データから３次元画像を描画表示するためのアプリケーションプログラムが格納されている。後述するように、この実施形態では、３次元画像の描画表示は、電子メールの受信端末２で行なわせるようにするが、受信端末２が、当該３次元画像の描画表示のためのアプリケーションプログラムを所持していないときに、当該受信端末２にそのアプリケーションプログラムをダウンロードするためである。
【００４４】
そして、サーバ装置１においては、前記３次元描画基本データや音声データ、また、それらの組が格納されているそれぞれのメモリエリアに対して、この例では、インターネット４上のアドレスであるＵＲＬ（ＵＮＩＦＯＲＭ  ＲＥＳＯＵＲＣＥ  ＬＯＣＡＴＯＲ）を、一意に対応して割り付けて管理するようにしている。
【００４５】
電子メール発信サービス業者は、上述のように、広告しようとする商品を説明するための３次元画像の基本データや音声データをサーバ装置３のデータ格納部に格納し、その格納メモリエリアごとにＵＲＬを割り付けた後、広告主の依頼に従って、広告用の電子メール文書を作成する。
【００４６】
この場合に、この電子メール文書は、当該広告しようとする商品を説明するための３次元画像の基本データや音声データが格納されているＵＲＬから、それらの情報の取得をするように指示する記述を含むものとして作成する。さらに、この例においては、この電子メールの前記記述には、受信端末２での電子メール表示領域内における画像表示用領域を指示する画像表示領域指定情報を含むものとされる。
【００４７】
そして、電子メール発信サービス業者がメール発信を行なう場合には、送信端末１から受信端末２に宛てて当該電子メールを送信するようにする。受信端末２は、この電子メールを受信し、当該電子メールを開く操作をユーザが行なうと、前記記述に含まれるＵＲＬに対して、インターネット４を通じてアクセスする。
【００４８】
これに対して、当該ＵＲＬによりアクセスされるサーバ装置３は、そのＵＲＬで指示されるメモリエリアを識別して、そのメモリエリアに格納されている３次元画像の描画表示のための基本データや音声データを読み出す。そして、サーバ装置３は、読み出した３次元描画基本データおよび音声データを、アクセスしてきた受信端末２に送る。
【００４９】
受信端末２とサーバ装置３との接続は、前記サーバ装置３にアクセスして、前記情報を受信したら切断するようにしても良いが、この例においては、受信端末２とサーバ装置３との間でのデータの送受が自由にできるようにするため、電子メールを開いている間は両者の接続は維持される。
【００５０】
前述したように、３次元描画表示を行なうために、３次元描画処理機能を備える画像表示アプリケーションプログラム（以下、ビューワと呼ぶ）が必要である。この例では、ビューワとしては、３次元描画基本データに基づいて所定の３次元画像を描画表示することができるだけでなく、画像の回転、移動、拡大、縮小、画像中のオブジェクトの色変更や画像中のオブジェクトの移動などのユーザ操作入力を受け付けて、前記３次元描画基本データに基づいて、ユーザ操作入力に応じた回転、拡大、縮小などの変更をした結果の３次元画像を描画表示することができる機能を備えているアプリケーションプログラムを用いる。
【００５１】
例えば、ユーザ操作入力により、画像の拡大指示があったときには、受信端末２は、基本画像情報に基づいてビューワにより画像を拡大して表示するようにする。また、商品の側面や裏側を見るため等の要求のための画像の回転指示があったときには、受信端末２は、基本画像情報に基づいてビューワにより画像として、指示されたように回転したものを表示する。
【００５２】
こうして、受信端末２の画面の画像としては、ユーザが指示した通りの、例えば拡大画像や回転画像が表示される。
【００５３】
この実施形態では、受信端末２は、サーバ装置３からの情報を受信すると、その受信情報に含まれる３次元描画基本データをバッファメモリに格納すると共に、３次元描画表示を行なうためビューワを起動させる。そして、サーバ装置３から受信した３次元描画基本データを用いて３次元画像を描画して、メール用アプリケーションプログラム（以下メーラという）により表示されている電子メール表示用ウインドウ内の、前記電子メールの記述に含まれる画像表示領域指定情報で指定される画像表示用領域に表示するようにする。
【００５４】
また、この例においては、サーバ装置３は、前述したように、受信端末２に送る情報に音声情報を含めることができる。受信端末２は、サーバ装置３から受信した音声情報は、電子メール文書の画面表示と共に、音響再生する。
【００５５】
また、この実施形態における電子メールは、受信端末２が他の受信端末２に転送することができるが、その場合にも、当該電子メールを受信した他の受信端末２は、送信端末１から電子メールを受信した受信端末２と全く同様にして、３次元描画画像の表示や音声再生を伴う電子メールの受信ができる。
【００５６】
上述のように、図１の構成の実施形態の電子メールシステムによれば、画像データや音声データを含まないデータ量が少ない電子メールデータを配送するだけで、３次元画像や音声付の電子メールを実質的に受信端末２は受信することができる。
【００５７】
また、上述のように、ユーザの操作入力に応じて３次元画像を変更表示することが可能であるので、電子メールに伴う３次元画像を、インタラクティブに変更することが可能である。
【００５８】
次に、この実施形態の電子メールシステムの各装置の詳細例を、以下に説明する。
【００５９】
＜送信端末および受信端末のハードウエア構成例＞
送信端末１および受信端末２は、この例では、パーソナルコンピュータで構成されるもので、例えば、図２に示すように、システムバス１００に対してＣＰＵ（Ｃｅｎｔｒａｌ  Ｐｒｏｃｅｓｓｉｎｇ  Ｕｎｉｔ）１０１と、プログラムＲＯＭ（Ｒｅａｄ  Ｏｎｌｙ  Ｍｅｍｏｒｙ）１０２と、ワークＲＡＭ(Ｒａｎｄｏｍ Ａｃｃｅｓｓ Ｍｅｍｏｒｙ)１０３と、ハードディスクドライブなどからなるメモリ装置１０４と、ディスプレイコントローラ１０５と、通信インターフェース１０６と、キーボードインターフェース１０７と、マウスインターフェース１０８と、オーディオデコード部１０９とが接続されている。
【００６０】
ディスプレイコントローラ１０５には、液晶ディスプレイなどのディスプレイ１１０が接続され、ＣＰＵ１０１による表示制御動作に基づいて、種々の表示画面が表示される。また、通信インターフェース１０６は電話回線などの通信回線を介してインターネット４に接続され、この例ではインターネット４を通じた電子メールの授受や、サーバ装置３との間で通信路を形成するために用いられる。
【００６１】
キーボードインターフェース１０７には、キーボード１１１が接続されている。また、マウスインターフェース１０８には、ポインティングデバイスとしてのマウス１１２が接続されている。
【００６２】
また、オーディオデコード部１０９には、Ｄ／Ａ変換器１１３が接続され、オーディオデコード部１０９からのデジタルオーディオデータが、このＤ／Ａ変換器１１３によりアナログオーディオ信号に変換され、オーディオアンプ１１４を通じてスピーカ１１５に供給されて、オーディオ信号が音響再生される。
【００６３】
メモリ装置１０４には、電子メール用のソフトウエア（メーラ）や、Ｗｅｂブラウザ、および３次元描画画像表示用のソフトウエア（ビューワ）などのアプリケーションプログラムが格納されていると共に、種々のデータが格納されている。
【００６４】
送信端末１が使用するメーラとしては、この例では「Ｏｕｔｌｏｏｋ  Ｅｘｐｒｅｓｓ（登録商標）」が用いられ、また、Ｗｅｂブラウザとしては、「Ｉｎｔｅｒｎｅｔ  Ｅｘｐｌｏｒｅｒ（登録商標）」が用いられる。
【００６５】
受信端末２においても、メーラとして「Ｏｕｔｌｏｏｋ  Ｅｘｐｒｅｓｓ（登録商標）」が用いられ、また、Ｗｅｂブラウザとして「Ｉｎｔｅｒｎｅｔ  Ｅｘｐｌｏｒｅｒ（登録商標）」が用いられる。ただし、送信端末１と受信端末２とで、同じメーラやブラウザを使用する必要は原則としてない。
【００６６】
送信端末１および受信端末２で用いられるビューワとしては、この例では、例えば、「Ｖｉｅｗｐｏｉｎｔ  Ｍｅｄｉａ  Ｐｌａｙｅｒ（登録商標）」が用いられる。送信端末１では、電子メールを作成する際に、受信端末２に送る３次元画像を確認表示するために、当該ビューワが用いられる。
【００６７】
上述のこの例のメーラの場合、送信端末１では、ＨＴＭＬ形式で記述された「ひな形」を、電子メール文書中に貼り付けることが可能である。「Ｏｕｔｌｏｏｋ  Ｅｘｐｒｅｓｓ（登録商標）」では、予め、幾つかの「ひな形」が用意されており、ユーザは、それを利用することができる。この用意されている「ひな形」には、ＨＴＭＬ形式の記述により画像を表示することができるものもある。
【００６８】
ＨＴＭＬ形式の記述により画像を表示することができるようにした「ひな形」が貼付された電子メールを受信した端末では、当該「ひな形」部分においてＷｅｂブラウザ機能（メーラがブラウザ機能を有する場合には、それが用いられ、メーラにブラウザ機能がない場合には、ブラウザのアプリケーションプログラムが起動される）によりＨＴＭＬ形式の記述に直接的に従って画像表示をして、当該「ひな形」の画像を表示するようにする。
【００６９】
この実施形態では、３次元画像を電子メールの受信側で表示することができるようにするためには、このＨＴＭＬ形式の記述によって直接的に画像を描画して表示するのではない。
【００７０】
この実施形態では、この「ひな形」として、受信端末２で表示される電子メール表示用ウインドウ内に、画像表示用領域を設定する記述と、前記サーバ装置３のデータ格納部の画像情報や音声情報が格納されたメモリエリアに対応するＵＲＬの記述とを、ＨＴＭＬ形式で記述したものを、予め送信端末１のメモリ装置１０４に格納して保持しておく。
【００７１】
受信端末２で表示される電子メール表示用ウインドウ内に、画像表示用領域を設定する記述としては、ＨＴＭＬにおいて、所定の大きさの画像表示用領域をウインドウ内に挿入する形式のインラインフレームのタグ＜ＩＦＲＡＭＥ＞を使用する。
【００７２】
このインラインフレーム内に表示される内容は、ＳＲＣ属性で指定されるが、この実施形態では、そのＳＲＣ属性として、表示したい３次元画像の基本データが格納されているサーバ装置１のＵＲＬが記述される。したがって、この「ひな形」のＨＴＭＬの記述は、前記ＵＲＬから、前記３次元描画基本データや音声情報などのデータの取得を指示することを意味する。
【００７３】
この実施形態における「ひな形」の一例を図３に示す。この図３の例の、「ひな形」においては、インラインフレームの記述として、高さ（ｈｅｉｇｈｔ）が２６１ピクセル分、幅（ｗｉｄｔｈ）が４００ピクセル分の画像表示用領域を指定する画像表示用領域指定情報が記述されていると共に、例えば「src＝“http://www.melon.・・・・・”」なるサーバ装置３の特定のメモリエリアのＵＲＬを指定する記述が含まれている。
【００７４】
この図３の例の「ひな形」においては、電子メール表示用ウインドウ内において、画像表示用領域の位置が指定されている訳ではなく、例えば電子メール表示用ウインドウのトップから、前記高さおよび幅の画像表示用領域が設定されることになる。このインラインフレームで指定された画像表示用領域以外では、通常の電子メールと同様にして、テキスト文書や絵などを記述することができる。
【００７５】
また、図４は、「ひな形」の他の例である。この例の「ひな形」は、画像表示用領域の位置を、スタイルシートのタグ＜ＤＩＶ  ｓｔｙｌｅ＝・・・・＞により指定するようにした場合の例である。
【００７６】
図４の例では、インラインフレームで指定される画像表示用領域の基準位置が、電子メール表示用ウインドウのトップの左上隅に指定されている。また、図４の例では、メール文「あけましておめでとう・・・・」がＨＴＭＬ形式により記述されており、そのメール文の電子メール表示用ウインドウ内の表示位置も、スタイルシートにより位置指定されている。
【００７７】
この例のメーラの場合、それを起動して送信メールの作成を選択すると、図５に示すようなウインドウ画面が開き、そのメニューバーの中の「メッセージ」を、マウス１１２によりクリックすると、図５に示すようなプルダウンメニューが開き、そのメニュー項目の一つとして「ひな形」が含まれる。さらに、この「ひな形」をマウス１１２で指示すると、図５に示すように、ひな形として選択できるものの一覧がプルダウンメニュー形式に表示される。そこで、この一覧から特定の一つの「ひな形」を選択すると、それが送信しようとする電子メールの送信情報中に含められる。
【００７８】
なお、図５のプルダウンメニューの一覧の「ひな形の選択」をマウス１１２により選択すると、図６に示すように、「ひな形」のファイルの格納場所と、各「ひな形」のメニュー欄と共に、必要に応じてプレビューを行なうプレビュー欄を備えるウインドウが表示される。そこで、この「ひな形」選択のウインドウ画面を通じて、プレビューをしながら「ひな形」の選択をすることもできる。
【００７９】
この場合、プレビューをする「ひな形」として、この実施形態で使用するＵＲＬを含む「ひな形」を選択すると、送信端末１は、当該ＵＲＬにネットワーク４を通じてアクセスする。サーバ装置３は、このアクセスに応じて、当該ＵＲＬに対応するメモリエリアに格納されている３次元描画基本データを読み出し、送信端末１に送る。サーバ装置３は、データ格納部に音声情報が格納されている場合には、その音声情報も送信端末１に送る。
【００８０】
送信端末１は、このサーバ装置３からの情報を受信して、ビューワを起動し、サーバ装置３から受信した３次元描画基本データを用いて、３次元画像をプレビューの画面に描画表示する。これにより、ユーザが送信しようとする電子メールに貼り付けられる３次元画像をプレビューすることができる。
【００８１】
したがって、送信端末１では、図６に示す「ファイルの場所」としての「Ｓｔａｔｉｏｎｅｒｙ」に、上述のＵＲＬを含む、新規に作成した「ひな形」を格納しておくことにより、電子メール文書の作成時に、当該新規に作成した「ひな形」を電子メール文書に貼り付けることができる。
【００８２】
＜サーバ装置のハードウエア構成例＞
次に、サーバ装置３のハードウエア構成例を図７に示す。この図７のサーバ装置３は、基本的にはパーソナルコンピュータからなるものである。
【００８３】
この例では、サーバ装置３は、図７に示すように、システムバス２００に対してＣＰＵ２０１と、プログラムＲＯＭ２０２と、ワークＲＡＭ２０３と、例えばハードディスクドライブなどからなるメモリ装置２０４と、通信回線に接続される通信インターフェース２０５と、受信データ解析部２０６、送信データ生成部２０７と、ＵＲＬ−メモリエリア対応記憶部２０８と、アプリケーション格納部２０９とが接続されている。
【００８４】
なお、受信データ解析部２０６、送信データ生成部２０７は、ソフトウエアとして実現することもできる。また、ＵＲＬ−メモリエリア対応記憶部２０８、アプリケーション格納部２０９は、メモリ装置２０４の一部の記憶エリアに設けることもできる。
【００８５】
そして、この実施形態においては、メモリ装置２０４には、電子メール発信サービス業者が広告主からの依頼により作成したそれぞれの画像の３次元画像描画のための基本データや音声データが格納される。ＵＲＬ−メモリエリア対応記憶部２０８には、当該基本データや音声データが格納されたメモリ装置２０４のメモリエリアのアドレスと、そのメモリエリアに割り付けられたＵＲＬとの対応（例えば対応テーブル情報）が記憶されている。
【００８６】
前述したように、電子メール発信サービス業者は、作成した画像情報や音声情報が格納されているメモリ装置２０４のメモリエリアに対応するＵＲＬを含む図３、図４に示したような記述を、送信端末の電子メール用のソフトウエアについての「ひな形」として用意するものである。
【００８７】
受信データ解析部２０６は、サーバ装置３が受信端末２からのアクセスを受信したときに、いずれのＵＲＬにアクセスしてきたかを検出し、その検出結果を用いてＵＲＬ−メモリアドレス対応記憶部２０８を検索し、メモリ装置２０４のうちの、受信したＵＲＬに対応するメモリエリアを識別し、当該識別したメモリエリアから３次元描画基本データや音声データを読み出し、送信データ生成部２０７に転送する。
【００８８】
送信データ生成部２０７は、転送されてきた３次元描画基本データや音声データを受け取って、受信端末２に送信する形式の送信データを生成し、生成した送信データを通信インターフェース２０５を通じて受信端末２に送信するようにする。
【００８９】
アプリケーション格納部２０９には、この実施形態で用いる３次元描画表示用のアプリケーションプログラムが格納されている。受信端末２が当該アプリケーションプログラムを所持しておらず、そのダウンロードをサーバ装置３に要求してきたときに、ＣＰＵ２０１は、当該アプリケーションプログラムを、アプリケーション格納部２０９から読み出し、送信データ生成部２０７および通信インターフェース２０５を通じて受信端末２に送るようにする。
【００９０】
＜電子メール送受信動作＞
（１）     電子メールの作成および送信
この実施形態における電子メール文書作成から送信までの動作を、以下に説明する。図８は、このときの電子メール作成および送信の処理を説明するためのフローチャートである。
【００９１】
送信端末１においては、先ず、電子メール用のアプリケーションが起動され、新規電子メールの作成画面が表示される（ステップＳ１０１）。
【００９２】
次に、端末装置１のＣＰＵ１０１は、前述の図５および図６を参照して説明したようにしてメニューバーの「メッセージ」が選択され、その中の「ひな形」が選択されたか否か判別する（ステップＳ１０２）。
【００９３】
ステップＳ１０２において、「ひな形」が選択されたと判別したときには、端末装置１のＣＰＵ１０１は、図５のプルダウンメニューあるいは図６の一覧メニューから選択された「ひな形」を、電子メール文書の入力画面の指定位置に貼り付ける（ステップＳ１０３）。これにより、電子メール表示用ウインドウ画面中に、３次元描画画像の画像表示領域が設定される。電子メール文書の画面においては、画像表示領域外に、メール文書のテキスト入力が可能となる。
【００９４】
次に、送信端末１のＣＰＵ１０１は、キーボード１１１を通じたユーザによるテキスト入力がなされたか否か判別し（ステップＳ１０４）、テキスト入力がなされたと判別したときには、そのテキスト入力を受け付けて、入力された文字を電子メール文書の入力画面に表示する（ステップＳ１０５）。ステップＳ１０２で、「ひな形」が選択されなかったと判別したときにも、ステップＳ１０３を飛ばして、ステップＳ１０４に進む。
【００９５】
このステップＳ１０５の次には、送信端末１のＣＰＵ１０１は、送信指示がなされたか否か判別する（ステップＳ１０６）。ステップＳ１０４で、テキスト入力がなされなかったと判別したときにも、ステップＳ１０５を飛ばして、ステップＳ１０６に進む。
【００９６】
ステップＳ１０６で、送信操作がなされていないと判別したときには、送信端末１のＣＰＵ１０１は、ユーザが電子メール文書の作成を中止する操作をしたか否か判別し（ステップＳ１０７）、当該中止する操作をしていないと判別したときには、ステップＳ１０２に戻る。
【００９７】
また、ステップＳ１０７で、電子メール文書の作成を中止する操作がなされたと判別したときには、送信端末１のＣＰＵ１０１は、この電子メール作成および送信の処理ルーチンを終了する。
【００９８】
また、ステップＳ１０６で、送信操作がなされたと判別したときには、ＣＰＵ１０１は、電子メール送信を実行し、この処理ルーチンを終了する。
【００９９】
図９は、このときに作成される送信メール文書画面の一例を説明するための図である。この図９の例は、図３の例の「ひな形」が用いられた場合の例で、画像表示用領域は、電子メール表示用ウインドウ内のメール表示領域のトップの所定領域ＡＲとされている。
【０１００】
そして、図９の例においては、この領域ＡＲの下の領域に、ユーザがキーボードを用いて入力したテキスト文字によるメール文が記述されている。なお、テキスト文字だけではなく、絵なども領域ＡＲの下の領域に記述することが可能である。前述したように、領域ＡＲの外の領域に表示されているメール記述部分は、自由に入力することができる部分であり、当該電子メールを受信した者も、通常の電子メールの場合と同様にして、削除、変更、追加などの編集を行なうことができる。
【０１０１】
この送信端末１の場合においても、メール送信前においては、「ひな形」のＨＴＭＬ形式の記述により、当該記述に含まれるＵＲＬに対してアクセスを行なうことで、当該電子メールによる受信側での画面のプレビューを行なうことができる。つまり、領域ＡＲには、サーバ装置３から送られてくる３次元描画基本データによる３次元画像が表示されると共に、音声情報がサーバ装置３からのデータに含まれている場合には、当該音声がスピーカ１１５で音響再生されて、放音される。
【０１０２】
＜電子メールの受信＞
以上のようにして送信された電子メールは、受信端末２で受信される。そして、この受信端末２において、ユーザが、電子メール用のソフトウエアを起動し、受信トレイの中から、当該電子メールを選択指示することにより、受信端末２のディスプレイ１１０において、表示される。
【０１０３】
図１０は、受信した電子メールをディスプレイ１１０の画面に表示するときの処理を説明するためのフローチャートである。この図１０のフローチャートは、電子メール用ソフトウエアが起動されている状態における処理動作である。
【０１０４】
先ず、受信トレイが選択されて、その受信トレイの中の一つの受信電子メールが選択状態になったか否か判別し（ステップＳ２０１）、そうでなければ、その他の処理を行なう。
【０１０５】
また、ステップＳ２０１で、受信トレイが選択されて、その受信トレイの中の一つの受信電子メールが選択状態になったと判別したときには、受信端末２のＣＰＵ１０１は、当該選択された受信メール文書を表示する（ステップＳ２０２）。そして、当該受信メール中に、ＵＲＬを含むＨＴＭＬ形式の記述部分があるか否か判別し（ステップＳ２０３）、ＵＲＬを含むＨＴＭＬ形式の記述部分がないと判別したときには、他の受信メールの選択指示がなされたか否か判別する（ステップＳ２０４）。
【０１０６】
ステップＳ２０４で、他の受信メールの選択指示がなされたと判別したときには、受信端末２のＣＰＵ１０１は、ステップＳ２０２に戻って、当該選択指示された受信電子メール文書を表示する。
【０１０７】
また、ステップＳ２０４で、他の受信メールの選択指示がなされていないと判別したときには、受信トレイについての処理以外の処理が選択されたか否か判別し（ステップＳ２０５）、受信トレイについての処理以外の処理が選択されたと判別したときには、受信した電子メール文書の表示を終了し、選択された処理へ移行する。このとき、受信端末２とサーバ装置３と接続されている場合には、ＣＰＵ１０１は、サーバ装置３との接続を切断する（ステップＳ２０６）。ステップＳ２０５で、受信トレイについての処理以外の処理が選択されてはいないと判別したときには、ＣＰＵ１０１は、ステップＳ２０４に戻る。
【０１０８】
また、ステップＳ２０３で、ＵＲＬを含むＨＴＭＬ形式の記述部分があると判別したときには、受信端末２のＣＰＵ１０１は、この例のメーラが備えるブラウザ機能により当該ＨＴＭＬ形式の記述部分を解釈し、そのＨＴＭＬの記述に含まれるＵＲＬにアクセスする（ステップＳ２０７）。
【０１０９】
このＵＲＬに対するアクセスにより、受信端末２は、サーバ装置３に接続され、前述したように、サーバ装置３からは、当該ＵＲＬに対応するメモリエリアに格納されている３次元描画基本データや音声データが送られてくる。
【０１１０】
受信端末２は、サーバ装置３からの、これらの情報を受信し（ステップＳ２０８）、ビューワを立ち上げて（ステップＳ２０９）、受信した３次元描画基本データを用いて３次元画像を、電子メール表示用ウインドウ内の、設定されている画像表示用領域に描画表示する（ステップＳ２１０）。このとき、サーバ装置３からの情報に音声情報が含まれている場合には、スピーカにより音響再生する。
【０１１１】
なお、このとき、画像表示のためのソフトウエアとしてのビューワを受信端末２が備えていない場合には、３次元描画基本データによる３次元画像描画表示が行なわれない。しかし、前述もしたように、この実施形態では、電子メール文書中に表示される、ビューワの取得指示をユーザが操作することにより、サーバ装置３から当該ビューワのソフトウエアプログラムを取得することができる。
【０１１２】
次に、ＣＰＵ１０１は、電子メール文書中に表示される画像に関連するユーサ操作指示が、電子メール表示用ウインドウを通じて入力されたか否か判別し（ステップＳ２１１）、ユーサ操作指示が入力されたと判別したときには、ビューワは、当該ユーザ操作指示を判別し（ステップＳ２１２）、その後、ステップＳ２１０に戻って、当該ユーザ操作指示を３次元画像に反映させる描画表示をする。
【０１１３】
ステップＳ２１１で、電子メール文書中に表示される３次元画像に関連するユーサ操作指示が、電子メール表示用ウインドウを通じて入力されてはいないと判別したときには、他の受信メールの選択指示がなされたか否か判別する（ステップＳ２１３）。
【０１１４】
ステップＳ２１３で、他の受信メールの選択指示がなされたと判別したときには、受信端末２のＣＰＵ１０１は、ステップＳ２０２に戻って、当該選択指示された受信電子メール文書を表示する。
【０１１５】
また、ステップＳ２１３で、他の受信メールの選択指示がなされていないと判別したときには、受信トレイについての処理以外の処理が選択されたか否か判別し（ステップＳ２１４）、受信トレイについての処理以外の処理が選択されたと判別したときには、受信した電子メール文書の表示を終了し、選択された処理へ移行する。このとき、受信端末２とサーバ装置３と接続されている場合には、ＣＰＵ１０１は、サーバ装置３との接続を切断する（ステップＳ２１５）。ステップＳ２１４で、受信トレイについての処理以外の処理が選択されてはいないと判別したときには、ＣＰＵ１０１は、ステップＳ２１０に戻り、３次元画像描画表示を伴う電子メールの表示を継続する。
【０１１６】
図１１は、上述した受信端末２における電子メールの受信時において、ネットワークを通じて受信端末２と接続されるサーバ装置３での処理を示すフローチャートである。
【０１１７】
サーバ装置３のＣＰＵ２０１は、受信端末２からのアクセスを受信するのを待ち（ステップＳ３０１）、受信端末２からのアクセスを受信したと判別したときには、どのＵＲＬにアクセスしてきたかにより、送信する３次元描画基本データや音声データの格納メモリエリアを識別する（ステップＳ３０２）。
【０１１８】
そして、送信するデータの格納メモリエリアを識別したら、ＣＰＵ２０１は、送信すべき３次元描画基本データや音声データをメモリ装置２０４から読み出し、アクセスしてきた受信端末２に送信する送信データを送信データ生成部２０７で生成し（ステップＳ３０３）、生成した送信データを通信ネットワーク２０５を通じて送信する（ステップＳ３０４）。
【０１１９】
そして、ＣＰＵ２０１は、受信端末２からビューワのプログラムの取得要求を受信したか否かを判別し（ステップＳ３０５）、当該取得要求を受信したと判別したときには、ビューワのプログラムを受信端末２にダウンロードする（ステップＳ３０６）。そして、この処理ルーチンを終了する。また、ステップＳ３０５で、ビューワのプログラムの取得要求を受信しなかったと判別したときには、そのままこの処理ルーチンを終了する。
【０１２０】
＜受信した電子メール文書の画像表示例＞
図１２〜図１５は、受信端末２における受信した電子メールの画像表示の一例を示すものである。
【０１２１】
図１２の例は、図３の「ひな形」が用いられた電子メールによる受信電子メール表示用ウインドウ画面の例である。この例においては、電子メール文書文字列部分２１の上部には、前述した「ひな形」中に記述されている画像表示領域指定情報により設定された領域２２において、サーバ装置３から送られた３次元描画基本データが用いられて描画表示された３次元描画画像が表示される。この領域２２の３次元描画画像は、実際には、指輪が回転する３次元動画像とされるものである。
【０１２２】
この図１２の画面において、領域２２に３次元画像が表示されないときには、「３Ｄが表示されない方はこちらをご覧下さい」という指示文字の内の「こちら」をユーザがクリックすると、３次元画像表示用のアプリケーションプログラム（ビューワ）のサーバ装置３からのダウンロードを促す画面が表示され、その指示に従うことにより、ビューワのアプリケーションプログラムがサーバ装置３からダウンロードされ、領域２２に３次元画像を表示させることができる。
【０１２３】
そして、この図１２において、指輪の画像を、例えばマウスによりドラッグして、任意の方向に動かすと、その方向に指輪を移動させることができる。したがって、ドラッグしたまま、回転移動させるようにすると、指輪を任意の方向から見た３次元描画画像が表示される。また、指輪をクリックすると、指輪を拡大表示することができ、再度、クリックすると元の大きさに戻すこともできる。
【０１２４】
また、図１２の電子メール文字列部分２１内にも記述されているように、この電子メールは、転送が可能であり、転送先の受信端末２においても、上述と同様にして、サーバ装置３にアクセスすることにより３次元画像２２を伴う電子メールの受信画像表示となる。また、電子メール文書文字列部分２１には、受信者がメール文書を追加、変更することが可能である。
【０１２５】
図１３の例は、図４の「ひな形」が用いられた電子メールによる受信電子メール表示用ウインドウ画面の例である。この図１３の例においては、前述した「ひな形」中に記述されている画像表示領域指定情報により設定された領域２４において、サーバ装置３から送られた３次元描画基本データが用いられて描画表示された３次元描画画像が表示される。この例では、折鶴が羽を羽ばたいている３次元画像が表示される。
【０１２６】
この領域２４においても、折鶴をドラッグして回転させると、折鶴をそのドラッグにしたがって回転移動させることができると共に、クリック操作などにより、拡大・縮小をすることができる。
【０１２７】
そして、その領域２４の下側に、スタイルシートにより指定された領域２５においてＨＴＭＬ形式で記述されたメール文が表示される。なお、この領域２５のメール文は、受信ユーザは変更できない。しかし、領域２４および２５以外の領域に、通常の電子メール文を記述することはできる。
【０１２８】
図１４および図１５は、受信端末２における受信した電子メールの画像表示の他の例を示すものである。
【０１２９】
図１４に示すように、この例は、ＵＲＬを含むＨＴＭＬによる記述によって、サーバ装置３から送られる３次元画像が、広告主のホームページ状のものとなっている場合である。このホームページ状の画面には、ユーザが操作入力が可能な機能が種々記載されている。図１４においては、点線で示した矩形領域が、電子メールの記述により設定された画像表示用領域で、この画像表示用領域に３次元画像が表示されている。
【０１３０】
図１５は、この図１４の画面において、ユーザが画像を回転させる操作をすると共に、本をクリックする動作を行なったときの、３次元画像を示している。すなわち、本が回転されると共に、ページが開かれた画像が表示される。図１５は、ページを開く動作を示すために、ページを開く動作の途中の画面を示しているが、実際には、本のページが開かれる３次元動画（３次元アニメーション）が表示されるものである。なお、図１５の例は、この例のビューワが備えるハイパービュー表示機能が用いられて、指定された画像表示領域を超えて表示されているかのごとき表示がなされる場合である。
【０１３１】
［第１の実施形態の変形例］
第１の実施形態で用いられているビューワには、３次元描画画像内に文字を打ち込んだり、３次元画像を修正したりする改変機能をも備わっている。
【０１３２】
そこで、この変形例においては、当該機能により３次元画像に文字を打ち込んだり、修正したりしたものを、サーバ装置３に登録することができるようにする。すなわち、受信ユーザは、電子メールで受信した３次元画像に対して、上述のような追加、修正を加えて改変した場合に、当該改変後の３次元画像の登録要求をサーバ装置３に送るようにする。
【０１３３】
サーバ装置３では、当該改変後の３次元画像の登録要求を認めるか否かの判定を行ない、認めるとしたときに、その旨を受信端末２に送る。すると、受信端末２は、当該改変後の３次元画像についての基本データをサーバ装置３に送る。サーバ装置３は、当該ＵＲＬのメモリエリアの基本データを、受信した基本データに更新する。このとき、更新前の基本データは、削除せずに、アドレスを変化させて保存させておくようにすると良い。
【０１３４】
３次元画像の登録を認めるか否かは、例えば登録要求してきた受信ユーザが、予めサーバ装置３において改変を認められた者として登録されている者であるかどうかにより、行なう。また、サーバ装置３に常に管理者がついており、当該管理者が、改変後の３次元画像をチェックして、登録を許可するか否かを判断するようにしても良い。その他、種々の判定方法を用いることができる。
【０１３５】
この場合には、電子メールを受け取った者が、必要な改変を行って、当該電子メールの次の受信者に転送するなどの処理ができることになる。なぜなら、改変された３次元画像の登録が認められたときには、転送後の電子メールに対して送られる基本データは、改変された３次元画像の基本データに更新されているからである。
【０１３６】
この機能を用いると、例えば、ある商品の発注者が、受注者からの商品の３次元画像表現されたモックアップを電子メールにおいて見て、それを修正して、受注者に戻すような使用態様が可能になる。
【０１３７】
また、ある商品の開発において、複数人の開発者に対して、電子メールにより商品の基本デザインに基づく３次元画像を電子メールとして送り、それら複数人の開発者の意見を取り入れたデザイン修正などができるというメリットもある。
【０１３８】
［第２の実施形態］
上述の第１の実施形態では、受信端末２において、ビューワにより３次元画像の描画表示を行なうようにしたが、第２の実施形態では、サーバ装置３で３次元画像の描画を行なって、その描画結果の画像情報を、アクセスしてきた受信端末２に送るように構成する。
【０１３９】
図１６は、この第２の実施形態におけるサーバ装置３のハードウエア構成例であり、図７に示した構成に、さらに描画データ生成部２１０がシステムバス２００に接続されるものである。描画データ生成部２１０は、ＣＰＵ２０１がＲＯＭ２０２のプログラムにしたがったソフトウエア処理として実現することもできる。
【０１４０】
描画データ生成部２１０は、アプリケーション格納部２０９に格納されている、あるいはＲＯＭ２０２に格納されている３次元描画処理機能を備えるビューワを用いて、メモリ装置２０４に格納されている基本画像情報を用いて３次元描画画像を生成する。サーバ装置３は、当該３次元描画処理結果の画像データを受信端末２に送信するようにする。
【０１４１】
送信端末１および受信端末２のハードウエア構成は、前述の第１の実施形態と同様である。この第２の実施形態では、受信端末２では、画像表示アプリケーションとしては、３次元描画処理機能を備える必要はなく、サーバ装置３から送られてくる３次元描画処理結果の画像データに基づく画像を表示することができるものであれば良い。
【０１４２】
電子メールの作成および送信処理は、この第２の実施形態においても第１の実施形態と同様である。しかし、電子メール受信時の受信端末２における処理およびサーバ装置３における処理が、第１の実施形態の場合とは異なる。
【０１４３】
＜電子メールの受信＞
図１７は、受信した電子メールを受信端末２のディスプレイ１１０の画面に表示するときの処理を説明するためのフローチャートである。この図１７のフローチャートは、電子メール用ソフトウエアが起動されている状態における処理動作である。
【０１４４】
この図１７において、ステップＳ４０１からステップＳ４０７までも処理ステップは、図１１におけるステップＳ２０１からステップＳ２０７までの処理ステップと全く同じであるので、ここでは、その説明は、省略する。
【０１４５】
この第２の実施形態においても、ステップＳ４０３で、ＵＲＬを含むＨＴＭＬ形式の記述部分があると判別したときには、受信端末２のＣＰＵ１０１は、Ｗｅｂブラウザを立ち上げて、当該ＨＴＭＬ形式の記述部分を解釈し、そのＨＴＭＬの記述に含まれるＵＲＬにアクセスする（ステップＳ４０７）。このＵＲＬに対するアクセスにより、受信端末２は、サーバ装置３に接続される。
【０１４６】
この第２の実施形態においては、サーバ装置３は、受信端末２からの当該ＵＲＬに対するアクセスを受けると、当該ＵＲＬに対応するメモリ装置２０４のメモリエリアに格納されている３次元描画基本データを読み出して、描画データ生成部２１０で、３次元描画画像データを描画生成する。そして、その３次元描画画像データを送信データ生成部２０７に送る。送信データ生成部２０７では、この３次元描画画像データと、前記ＵＲＬに対応するメモリ装置２０４のメモリエリアに格納されている音声データとを含む送信データを生成し、生成した送信データを受信端末２に送る。
【０１４７】
そこで、受信端末２は、サーバ装置３からの情報を受信し（ステップＳ４０８）、ビューワを立ち上げて（ステップＳ４０９）、受信した３次元描画画像データによる画像を、電子メール文書画面内の、指定されている画像表示領域に表示する。このとき、サーバ装置３からの情報に音声情報が含まれている場合には、スピーカにより音響再生する（ステップＳ４１０）。
【０１４８】
なお、このとき、画像表示のためのソフトウエアを受信端末２が備えない場合には、画像データによる画像表示が行なわれない。しかし、電子メール文書中に表示される、当該画像表示のためのソフトウエアの取得指示をユーザが操作することにより、サーバ装置３から当該画像表示のためのソフトウエアプログラムを取得することができる。
【０１４９】
次に、ＣＰＵ１０１は、電子メール文書中に表示される画像に関連するユーサ操作指示が、電子メール文書表示画面を通じて入力されたか否か判別し（ステップＳ４１１）、ユーサ操作指示が入力されたと判別したときには、ＵＲＬで示されるサーバ装置３にユーザ操作指示情報を送信する（ステップＳ４１２）。
【０１５０】
この第２の実施形態では、サーバ装置３は、このユーザ操作指示を受信すると、当該ユーザ操作指示に応じた３次元描画処理を行ない、その処理結果の画像データを受信端末２に送る。そこで、受信端末２では、サーバ装置３からの画像データを受信し（ステップＳ４１３）、その後、ステップＳ４１０に戻り、当該受信した画像データによる画像を、電子メール文書画面内の、指定されている画像表示領域に表示する。つまり、画像をストリーミング再生する。
【０１５１】
ステップＳ４１１で、電子メール文書中に表示される画像に関連するユーサ操作指示が、電子メール文書表示画面を通じて入力されてはいないと判別したときには、他の受信メールの選択指示がなされたか否か判別する（ステップＳ４１４）。
【０１５２】
ステップＳ４１４で、他の受信メールの選択指示がなされたと判別したときには、受信端末２のＣＰＵ１０１は、ステップＳ４０２に戻って、当該選択指示された受信電子メール文書を表示する。
【０１５３】
また、ステップＳ４１４で、他の受信メールの選択指示がなされていないと判別したときには、受信トレイについての処理以外の処理が選択されたか否か判別し（ステップＳ４１５）、受信トレイについての処理以外の処理が選択されたと判別したときには、受信した電子メール文書の表示を終了し、選択された処理へ移行する。このとき、受信端末２とサーバ装置３と接続されている場合には、ＣＰＵ１０１は、サーバ装置３との接続を切断する（ステップＳ４１６）。ステップＳ４１５で、受信トレイについての処理以外の処理が選択されてはいないと判別したときには、ＣＰＵ１０１は、ステップＳ４１０に戻る。
【０１５４】
図１８は、第２の実施形態において、上述した受信端末２における電子メールの受信時において、ネットワークを通じて受信端末２と接続されるサーバ装置３での処理を示すフローチャートである。
【０１５５】
サーバ装置３のＣＰＵ２０１は、受信端末２からのアクセスを受信するのを待ち（ステップＳ５０１）、受信端末２からのアクセスを受信したと判別したときには、どのＵＲＬにアクセスしてきたかにより、送信する画像データや音声データの格納メモリエリアを識別する（ステップＳ５０２）。
【０１５６】
そして、送信するデータの格納メモリエリアを識別したら、ＣＰＵ２０１は、メモリ装置２０４から送信すべき３次元画像の基本データを読み出して、描画データ生成部２１０で、３次元画像データを描画生成する（ステップＳ５０３）。そして、その画像データを、送信データ生成部２０７に送り、当該画像データと、前記ＵＲＬに対応するメモリ装置２０４のメモリエリアに格納されている音声データとを含む送信データをこの送信データ生成部２０７で生成し（ステップＳ５０４）、生成した送信データを、アクセスしてきた受信端末２に送信する（ステップＳ５０５）。
【０１５７】
そして、ＣＰＵ２０１は、受信端末２からユーザ操作入力情報を受信したか否か判別し（ステップＳ５０６）、ユーザ操作入力情報を受信したと判別したときには、ユーザ操作入力情報に応じて、描画データ生成部２１１において画像データを加工し（ステップＳ５０７）、ステップＳ５０３に戻り、当該加工した画像データ等を受信端末２に送信する（ステップＳ５０４）。
【０１５８】
ステップＳ５０６で、受信端末２からユーザ操作入力情報を受信しなかったと判別したときには、ＣＰＵ２０１は、ネットワークを通じた受信端末２との接続が切断されたか否か判別し（ステップＳ５０８）、切断されたと判別したときには、この処理ルーチンを終了し、また、切断されていないと判別したときには、ステップＳ５０３に戻り、３次元画像データの描画生成および生成した画像データ等の受信端末２への送信を継続する。
【０１５９】
［第２の実施形態の変形例］
この第２の実施形態の場合においても、前述の第１の実施形態の場合と同様にして、受信端末２のユーザが、受信メール上の３次元画像を改変して、サーバ装置３に登録することができるようにすることができる。
【０１６０】
ただし、この例の場合には、３次元画像の基本データは、サーバ装置３側にあり、ユーザ操作入力のみがサーバ装置３に送られることになる。そして、ユーザ操作入力が改変した３次元画像の登録要求であるときに、それを前述のようにサーバ装置で、認めるか否か判断して、認めるとしたときに、基本データを更新するようにするものである。
【０１６１】
［その他の変形例］
上述の第１の実施形態および第２の実施形態の説明では、電子メール文書と共に、３次元画像を、電子メール表示領域内の指定された画像表示領域において表示するようにしたが、テキスト文書を含まずに、電子メールの表示領域の全体に画像を表示するようにすることもできる。
【０１６２】
また、ＵＲＬなどのネットワーク上のアドレス情報を含み、当該アドレス情報に対応する前記サーバ装置のデータ格納部からのデータの取得を指示する記述は、上述の例では、予めひな形として用意していたものから選択するようにしたが、ＨＴＭＬ形式で直接的に電子メール文書中に記述するようにすることもできる。
【０１６３】
また、上述の実施形態では、前記アドレス情報を含む記述はＨＴＭＬ形式を用いるようにしたが、これに限られるものではなく、その他の記述言語、例えばジャバスクリプト（ＪａｂａＳｃｒｉｐｔ）（登録商標）を用いることもできる。
【０１６４】
また、上述の実施形態では、複数種類の画像データや音声データを電子メール中に表示したり、電子メールと共にさせたりするようにする場合であって、サーバ装置３は、画像データや音声データの格納メモリエリアとＵＲＬとの対応を記憶するようにしたが、サーバ装置３から受信端末２に送信するデータが１種類に特定されているのであれば、ＵＲＬはサーバ装置３のアドレスでよく、画像データや音声データの格納メモリエリアとＵＲＬとの対応を記憶する必要はない。
【０１６５】
また、上述の実施形態は、受信端末２がパーソナルコンピュータである場合であるが、受信端末２は、携帯電話端末やＰＤＡ（Ｐｅｒｓｏｎａｌ  Ｄｉｇｉｔａｌ  Ａｓｓｉｓｔａｎｔｓ）などの携帯情報機器であってもよい。
【０１６６】
また、上述の実施形態では、サーバ装置３と受信端末２とはインターネットを通じて接続される場合であるので、アドレス情報は、ＵＲＬとしたが、当該アドレス情報は、サーバ装置と受信端末２とが接続されるネットワークに応じたアドレス情報となるものであることは言うまでもない。
【０１６７】
また、受信端末２において、電子メールにより表示されるのは、所定の画像の３次元描画表示領域と、当該３次元描画表示領域外に絵や文字が表示されたホームページ形式のものであるが、３次元描画表示領域外の絵や文字の部分に、受信ユーザが操作可能なアイコンボタンを表示して、当該アイコンボタンを操作することにより、サーバ装置３の前記ＵＲＬにアクセスするようにして、当該ＵＲＬに格納されている別の３次元表示画像の基本データに基づいて描画表示された３次元画像をディスプレイに表示するようにしてもよい。その場合には、メーラ上ではなく、Ｗｅｂブラウザによる表示ウインドウ内に、前記ビューワが用いられて、当該別の３次元画像が表示される。
【０１６８】
この場合において、第１の実施形態においては、３次元表示画像の基本データを受信端末２が受信して、受信端末２が備えるビューワにより前記別の３次元画像を表示する者であり、また、第２の実施形態の場合には、操作情報をサーバ装置３に送り、その処理結果としての３次元画像データをサーバ装置３から受信端末２が受信することによりなされる。
【０１６９】
また、上述の第１の実施形態では、３次元描画のユーザ操作指示の全てを受信端末２のビューワが処理するようにしたが、処理内容が高度あるいは複雑であって、受信端末２のビューワでは処理が困難であるユーザ操作指示の場合には、その操作指示をサーバ装置３が備える、より高度および複雑な処理が行なえる３次元描画用のアプリケーションにより処理を行ない、その処理結果を受信端末２に送るようにすることもできる。
【０１７０】
この場合には、そのようなユーザ操作指示を予め定めておき、そのユーザ操作指示があったときに、受信端末２がサーバ装置３にそのユーザ操作指示情報を送るようにする。そのためのプログラムは、受信端末２からのアクセスがあったときに、サーバ装置３から受信端末２に送る情報に含めるようにすれば良い。
【図面の簡単な説明】
【０１７１】
【図１】この発明による電子メールシステムの実施形態の概要を説明するための図である。
【図２】この発明による電子メールシステムの実施形態における送信端末あるいは受信端末の構成例を示すブロックである。
【図３】この発明による電子メールシステムの実施形態において、送受信される電子メールの要部の一例を説明するための図である。
【図４】この発明による電子メールシステムの実施形態において、送受信される電子メールの要部の他の一例を説明するための図である。
【図５】この発明による電子メールシステムの実施形態において、送信する電子メールを作成するための手順を説明するための図である。
【図６】この発明による電子メールシステムの実施形態において、送信する電子メールを作成するための手順を説明するための図である。
【図７】この発明による電子メールシステムの実施形態におけるサーバ装置の構成例を示すブロックである。
【図８】この発明による電子メールシステムの実施形態において、電子メールの作成および送信時における処理の一例のフローチャートを示す図である。
【図９】この発明による電子メールシステムの実施形態において、作成した電子メールの一例を説明するための図である。
【図１０】この発明による電子メールシステムの実施形態において、電子メールの受信端末での受信時の処理動作を説明するためのフローチャートを示す図である。
【図１１】この発明による電子メールシステムの実施形態において、サーバ装置の処理動作を説明するためのフローチャートを示す図である。
【図１２】この発明による電子メールシステムの実施形態において、受信した電子メールの表示例を説明するための図である。
【図１３】この発明による電子メールシステムの実施形態において、受信した電子メールの表示例を説明するための図である。
【図１４】この発明による電子メールシステムの実施形態において、受信した電子メールの表示例を説明するための図である。
【図１５】この発明による電子メールシステムの実施形態において、受信した電子メールの表示例を説明するための図である。
【図１６】この発明による電子メールシステムの他の実施形態におけるサーバ装置のハードウエア構成例を示すブロック図である。
【図１７】この発明による電子メールシステムの他の実施形態において、電子メールの受信端末での受信時の処理動作を説明するためのフローチャートを示す図である。
【図１８】この発明による電子メールシステムの他の実施形態において、サーバ装置の処理動作を説明するためのフローチャートを示す図である。
【符号の説明】
【０１７２】
１…送信端末、２…受信端末、３…サーバ装置、４…ネットワーク
【図１】
2005202629.tif 000003
【図２】
2005202629.tif 000004
【図３】
2005202629.tif 000005
【図４】
2005202629.tif 000006
【図５】
2005202629.tif 000007
【図６】
2005202629.tif 000008
【図７】
2005202629.tif 000009
【図８】
2005202629.tif 000010
【図９】
2005202629.tif 000011
【図１０】
2005202629.tif 000012
【図１１】
2005202629.tif 000013
【図１２】
2005202629.tif 000014
【図１３】
2005202629.tif 000015
【図１４】
2005202629.tif 000016
【図１５】
2005202629.tif 000017
【図１６】
2005202629.tif 000018
【図１７】
2005202629.tif 000019
【図１８】
2005202629.tif 000020